(57)【特許請求の範囲】
【請求項１】
コンクリート隔壁用鉄筋組立体により仕切られた作業域間の移動に用いる足場であって、一列に配置した枠組構造の複数の脚柱に、通路を有する架台を脱着可能に支持させ、該架台の通路と前記鉄筋組立体により仕切られた各作業域内とを梯子により連絡した移動用足場において、前記作業域が鉄筋組立体により四方から囲まれて、その複数が碁盤目状に配置されており、前記架台が、一方向に配列する複数の作業域の上方を横断的に延ばされ、前記梯子が、該架台下に配列する各作業域内および該架台下の作業域と並列する各作業域内と連絡するように配置されることを特徴とする移動用足場。
【請求項２】
脚柱および架台のそれぞれが、サブアセンブリ体として用意されることを特徴とする請求項１に記載の移動用足場。
【請求項３】
請求項１または２に記載の移動用足場を、構築すべきケーソンの周りを囲む外周足場の対向辺間を連絡するように仮設し、該移動用足場の架台および梯子を作業員の移動に利用しながら鉄筋組立てを行った後、該移動用足場を撤去して型枠を組立て、コンクリートの打設を行うことを特徴とするケーソン構築工法。
【発明の詳細な説明】
【０００１】
【発明が属する技術分野】
本発明は、コンクリート隔壁用鉄筋組立体により仕切られた作業域間の移動に用いる足場と、該足場を利用して行うケーソン構築工法に関する。
【０００２】
【従来の技術】
例えば、護岸用ケーソンは、図５に符号１にて示すように、所望の強度を確保するため、外壁２で囲まれた内部空間が隔壁３により碁盤目状に多数の室４に仕切られている。このようなケーソンは、一例として縦２５ｍ、横３０ｍ、高さ２２ｍを超える大きさとなっており、その碁盤目に仕切られた室４も多数（図示例では、２４室）となっている。
【０００３】
ところで、この種のケーソンは鉄筋コンクリート製となっているが、上記したごとき大型のケーソン１を構築するには、一度に全体を形成することは到底不可能で、このため、下部側から順次コンクリート打設を繰返して嵩上げする方式が採用されている。この場合、図６および図７に示すように外壁２および隔壁３に埋込まれる鉄筋（鉄筋組立体）５も、順次継ぎ足しながら上方へ延ばされることになるが、順次継ぎ足すとはいえ、その高さは３ｍを超えるものとなり、前記室４として提供される作業域６は、この継ぎ足された背の高い鉄筋組立体５により四方から囲まれた閉鎖域となる。
【０００４】
【発明が解決しようとする課題】
しかるに、従来のケーソン構築工法においては、前出図５に示したように、構築すべきケーソン１の周りに外周足場７を仮設しているだけであり、このような工法によれば、外壁２に沿った室４ａに対応する作業域には、外周足場７から梯子８を延ばして作業員が簡単に出入りできるものの、これより内部側の室４ｂに対応する作業域に対する梯子８の延長は不可能である。
【０００５】
このため、従来は、前出図７に示したように鉄筋組立体５に相隣接する作業域６、６から梯子８を立て掛け、鉄筋組立体５の上部を乗り越えて移動するようにしており、目的の作業域まで移動するには、梯子６を何度も昇降しなければならず、作業能率の低下が避けられないばかりか、安全面でも問題が生じ、その上、鉄筋組立体５の間隔を乱したり、変形させてしまうなどの品質面の問題があった。
【０００６】
本発明は、上記した従来の問題点に鑑みてなされたもので、その目的とするところは、コンクリート隔壁用鉄筋組立体により仕切られた作業域間の移動を簡単かつ安全になし得るようにすると共に、鉄筋組立体の品質悪化を未然に防止する移動用足場を提供し、併せて該足場を利用して行うケーソンの構築工法を提供することにある。
【０００７】
【課題を解決するための手段】
上記目的を達成するための、本発明に係る移動用足場は、一列に配置した枠組構造の複数の脚柱に、通路を有する架台を脱着可能に支持させ、該架台の通路と前記鉄筋組立体により仕切られた各作業域内とを梯子により連絡した移動用足場において、前記作業域が鉄筋組立体により四方から囲まれて、その複数が碁盤目状に配置されており、前記架台が、一方向に配列する複数の作業域の上方を横断的に延ばされ、前記梯子が、該架台下に配列する各作業域内および該架台下の作業域と並列する各作業域内と連絡するように配置されることを特徴とする。
このように構成した移動用足場においては、作業域が鉄筋組立体により四方から囲まれて、その複数が碁盤目状に配置されている場合でも、枠組構造の簡易式脚柱に支持させた架台および梯子を介して鉄筋組立体により仕切られた作業域間を簡単かつ安全に移動できる。
【０００８】
本移動用足場において、上記脚柱および架台のそれぞれは、サブアセンブリ体として用意するのが好ましく、これにより脚柱および架台をクレーンで吊ってきわめて能率よく本足場を仮設することができる。
【００１０】
上記目的を達成するための本発明に係るケーソン構築工法は、上記した移動用足場を、構築すべきケーソンの周りを囲む外周足場の対向辺間を連絡するように仮設し、該足場の架台および梯子を作業員の移動に利用しながら鉄筋組立てを行った後、該移動用足場を撤去して型枠を組立て、コンクリートの打設を行うことを特徴とする。
このように行うケーソン構築工法においては、外周足場から離間した内部側の作業域にも、本移動用足場を利用して自由に作業員が出入りでき、ケーソンの能率のよい構築が可能になる。
【００１１】
【発明の実施の形態】
以下、本発明の実施の形態を添付図面に基いて説明する。
図１乃至図４は、本発明に係る移動用足場の一つの実施形態を示したものである。本実施の形態は、前出図５に示した大型ケーソン１の構築に適用したもので、この大型ケーソン１の構築に際しては、前記したように下部側から順次コンクリート打設を繰返して嵩上げする方式が採用される。図２は、一段目のコンクリート打設を終えたケーソン下部構造を部分的に示したもので、１ａは底版、２ａは前記外壁２の下側部分、３ａは前記隔壁３の下側部分をそれぞれ表している。この図２にはまた、隔壁３の下側部分３ａに継ぎ足された前記鉄筋組立体５（図６、７参照）も示されており、このケーソン下部には、これら隔壁３の下側部分３ａとこれに継ぎ足された鉄筋組立体５とにより、前記ケーソン内の複数の室４（図５）に対応する配列で複数の作業域６が碁盤目状に区画形成されている。
【００１２】
上記ケーソン１の構築に際しては、従来と同様に構築すべきケーソン１の周りに外周足場７（図５）が仮設されると共に、この外周足場７の対向辺間を連絡するように本発明に係る移動用足場１０が仮設される。本移動用足場１０は、枠組構造の複数の簡易式脚柱１１と、これら複数の脚柱１１に脱着可能に支持された架台１２と、この架台１２と前記作業域６内とを連絡する複数の梯子１３とから概略構成されており、その架台１２が、一列に配列する複数の作業域６の上方を横断的に延ばされている。なお、各作業域６内には作業床１５が配設されているが、この作業床１５は、先のコンクリート打設に際して用いた型枠１６を構成する縦梁１７に支持されている（図１、２）。
【００１３】
上記脚柱１１は、組立てる鉄筋より高い位置に架台１２を設置できるように、複数の枠組ユニット２４（２４Ａ、２４Ｂ、２４Ｃ）を必要数だけ連結して構築される。なお、各枠組ユニット２４は、ここでは縦枠２１と、筋かい２２と足場板２３とからなっており、相互に連結しながら３段に積上げられている（図１）。この脚柱１１は、架台１２の延長方向すなわち本移動用足場１０の仮設方向に配列する各作業域６（６ｂ）内に、前記鉄筋組立体５に近接して一基設置され、それぞれは、適宜の固定手段（図示略）により前記作業床１５上に位置固定されている。
【００１４】
上記脚柱１１を構成する最上段の枠組ユニット２４Ｃの上部には、本移動用足場１０の仮設方向に直交する方向に延ばして支持板２５が固設されている。この支持板２５の一端は前記鉄筋組立体５の上端に近接する位置まで延ばされており、その延長端には前記梯子１３の上端部が脱着可能に係止されている。この梯子１３は、傾斜梯子１３ａとして構成されており、前記鉄筋組立体５の上方を超えて他方の作業域６ａ内まで延ばされ、その下端部が該作業域６ａ内の作業床１５に固定されている。一方、脚柱１１の、前記傾斜梯子１３ａを取付けた側と反対側には、垂直梯子１３ｂが取付けられている。この垂直梯子１３ｂは、脚柱１１を設置した作業域６ｂ内の作業床１５と前記架台１２との連絡に用いられるもので、ここでは、脚柱１１の縦枠２１に一体的に設けられている。
【００１５】
また、上記支持板２５の上面には、架台１２を挟む配置で二つの手摺枠２６、２７が立設されている。これら手摺枠２６、２７は架台１２と各梯子１３ａ、１３ｂとの間で作業員を安全に移動させるためのものであるが、傾斜梯子１３ａを配置した側の手摺枠２６と傾斜梯子１３ａの上端部との間にはかなりの距離があるので、ここでは、支持板２５の上面に、さらにフェンス（ネットフェンス）２８を設けている。すなわち、傾斜梯子１３ａと架台１２との間には、これらフェンス２８および手摺枠２６によって安全な渡り通路が形成されている。
【００１６】
さらに、上記最上段の枠組ユニット２４Ｃを構成する縦枠２１の上端には、図３に示されるように、前記架台１２を支持する一対の支持梁２９が受け部材３０を介して取付けられている。前記支持梁２９としては、ここでは軽量化と高強度化とを図るため、アルミニウム合金製の形材（通称、大引）を背中合せしてなるものが用いられており、また、前記受け部材３０としては、架台１２の安定的支持を図るため、伸縮可能なジャッキ形式のものが用いられている。
【００１７】
上記架台１２は、ここでは、その延長方向に複数分割されており、各分割要素１２ａ、１２ｂは相互に端面を突合わせて連結されている（図２）。図２中の矢印Ｐは、二つの分割要素１２ａ、１２ｂの突合せ部を指しており、一つの分割要素１２ａ、１２ｂの長さは、一例として１６ｍ程度となっている。
【００１８】
架台１２は、本移動用足場１０の仮設方向に延びるベース３１とこのベース３１の両側に連続的に配設された左右側壁３２とから概略構成されており、そのベース３１上は通路３３として提供されている。ベース３１は、ここでは図３および図４によく示されるように、Ｈ形鋼からなる左右一対のフレーム３４と、この左右一対のフレーム３４間を連結する複数の上および下連結バー３５、３６と、前記上連結バー３５上に敷設された多数の足場板３７とからなっている。一方、側壁３２は、同じく図３および４によく示されるように、下側に配置された幅木３８と上側に配置されたフェンス（ネットフェンス）３９とからなっており、これらは、前記左右のフレーム３４上に所定の間隔で立設した複数の支柱４０に取付部材４１を用いて取付けられている。幅木３８およびフェンス３９は、前記脚柱１１上の手摺枠２６、２７に対応する箇所で取外されており、この取外された部分は、前記通路３３から梯子１３（１３ａ、１３ｂ）に通じる出入口４２（図２）として供されるようになっている。
【００１９】
以下、上記のように構成した移動用足場１０を利用して行うケーソン構築工法について説明する。なお、ここでは、ケーソン下部のコンクリート打設を終えて、２段目のコンクリート打設を行うための準備工として説明する。
ケーソン下部のコンクリート打設を終了すると、外壁２の下側部分２ａおよび隔壁３の下側部分３ａで囲まれた各作業域６内には、先の型枠１６と縦梁１７とを用いて作業床１５が設置される。本移動用足場１０を構成する脚柱１１および架台１２は、別途組立ヤードにてサブアセンブリされてサブアセンブリ体として用意されており、前記作業床１５の設置を待って、先ず、一方向に配列する複数の作業域６内にクレーンで吊って前記サブアセンブリ体としての脚柱１１を搬入し、各作業域６内の作業床１５に据付ける。そして、必要数の脚柱１１の据付けが終了したら、次に、前記サブアセンブリ体としての架台１２を、その分割要素１２ａ、１２ｂの単位でクレーンで吊って複数の脚柱１１上に設置し、必要数の分割要素１２ａ、１２ｂを設置したところで、各分割要素１２ａ、１２ｂの相互間を連結し、外周足場７の対向辺間を連絡する移動用足場１０を完成させる。なお、この足場１０の仮設は、既設の隔壁下側部分３ａに対する鉄筋組立体５の継ぎ足しに先行して行うようにし、これにより作業者は、各作業域６間を自由に往来して、本足場１０の組立てを行うことができる。
【００２０】
その後、鉄筋組立体５として提供されるサブアセンブリ体をクレーンで吊って各作業域６に降ろし、一つの作業域６の周りに鉄筋組立体５を構築（配筋）する。なお、この鉄筋組立体５の配筋に際しては、鉄筋組立体５のサブアセンブリ体の搬入の障害とならないように傾斜梯子１３ａを取り外しておく。またこの際、本移動用足場１０をクレーンの誘導または鉄筋組立体５の配筋の作業台として用いてもよいことはもちろんである。そして、一つの作業域６の周りへの鉄筋組立体５の配筋を終えたら、当該作業域６（図１に符号６ａで示す）内に傾斜梯子１３ａを降ろし、その上端部を前記脚柱１１の上部の支持板２５に係止させると共に、その下端部を当該作業域６ａの作業床１５上に固定して、傾斜梯子１３ａを設置する。これにより、当該作業域６ａ内の作業者は、この傾斜梯子１３ａを登って架台１２の通路３３に移動できるようになり、脚柱１２下に配列する作業域（図１に符号６ｂにて示す）に移動する場合は、反対側の垂直梯子１３ｂを利用して該作業域６ｂに下り、当該作業域６ａと同列の作業域（図２の左右方向）に移動する場合は、架台１２の通路３３を移動して、同様の傾斜梯子１３ａを利用して目的の作業域に下りる。
【００２１】
このようにして架台１２下とこれに隣り合う各作業域６の周りへの鉄筋組立体５の配筋を行い、その一連の鉄筋組立てを終えたら、型枠を組立てる前に本移動用足場１０を工事域外へ搬出する。この搬出に際しては、先ず架台１２の分割要素１２ａ、１２ｂを相互に切離すと共に、各分割要素１２ａ、１２ｂと脚柱１１とを切離し、次に、架台１２を、その分割要素１２ａ、１２ｂ単位でクレーンで吊って工事域外へ搬出し、続いて各脚柱１１を作業床１５から切離して工事域外へ搬出する。そして、この搬出を待って、型枠をセットして次の段のコンクリート打設を行い、以降、上記した手順で必要段数のコンクリート打設を行ってケーソン１を完成させる。
【００２２】
なお、上記脚柱１１は、その下端をジャッキを介して作業床１５上に据付けるようにしてもよく、これにより架台１２の姿勢制御が容易になる。
また、上記実施の形態においては、傾斜梯子１３ａおよび垂直梯子１３ｂを含む梯子１３を脚柱１１に支持させるようにしたが、これら梯子１３は、架台１２に支持させるようにしてもよいものである。
さらに、本移動用足場１０は、上記ケーソン１以外の種々の構造物、例えば、上下水処理場、ポンプ場、水路等の構築にも適用できることはもちろんで、その脚柱１１、架台１２、梯子１３等はこれらの適用対象に応じて適宜の大きさ並びに数を設定する。
【００２３】
【発明の効果】
以上、説明したように、本発明に係る移動用足場によれば、枠組構造の簡易式脚柱に支持させた架台および梯子を介して鉄筋組立体により仕切られた作業域間を簡単かつ安全に移動でき、その利用価値は大なるものがある。
また、本発明に係るケーソン構築工法によれば、上記移動用足場を利用して能率よく大型ケーソンを構築でき、ケーソンのコスト低減に大きく寄与するものとなる。
【図面の簡単な説明】
【図１】本発明の一つ実施の形態である移動用足場の全体的構造とその仮設状態を示す正面図である。
【図２】本移動用足場とその仮設状態を示す側面図である。
【図３】本移動用足場を構成する架台と該架台の、脚柱に対する結合構造を示す正面図である。
【図４】本移動用足場を構成する架台の構造を示す側面図である。
【図５】本移動用足場を適用するケーソンの構造と従来のケーソン構築工法とを模式的に示す平面図である。
【図６】従来のケーソン構築工法における鉄筋組立体の乗り越える様式を示す正面図である。
【図７】従来のケーソン構築工法における鉄筋組立体の乗り越え様式を示す側面図である。
【符号の説明】
１  ケーソン、  ２  ケーソンの外壁、  ３  ケーソンの隔壁
５    鉄筋構造物
６,６ａ,６ｂ    作業域
７    外周足場
１０  移動用足場
１１  脚柱
１２  架台
１３  梯子、  １３ａ  傾斜梯子、  １３ｂ  垂直梯子
１５  作業床
２１  脚柱の縦枠、  ２２  脚柱の筋かい、  ２３  脚柱の足場板
２４（２４Ａ、２４Ｂ、２４Ｃ）  枠組ユニット
３１  架台のベース、  ３２  架台の側壁、  ３３  架台の通路
【図１】
0003985212.tif 000002
【図２】
0003985212.tif 000003
【図３】
0003985212.tif 000004
【図４】
0003985212.tif 000005
【図５】
0003985212.tif 000006
【図６】
0003985212.tif 000007
【図７】
0003985212.tif 000008